(57)【要約】【課題】  複数のＷｅｂ端末から同時に複数の無線通信ネットワークエリアの局舎に対して設備状態を問い合わせ場合の状態を表示させるまでの時間を短縮する。【解決手段】  Ｗｅｂサーバ起動時に複数の無線通信ネットワークエリア１４１〜１４６と１対１対応の送信スレッド１０１〜１０６を生成する。複数のＷｅｂ端末１１１〜１１６から同時に複数の無線通信ネットワークエリアの局舎に対して設備状態問い合わせにより監視状態通知などのイベント情報を大量に受信した場合、無線通信ネットワークエリアの送信スレッドに当該イベント情報を渡す。送信スレッドは、当該無線通信ネットワークエリアにアクセスしているＷｅｂ端末に当該イベント情報を送信する。【選択図】        図１
2005295040.tif 000002
【特許請求の範囲】
【請求項１】
複数の無線通信ネットワークエリア内の局舎設備状態を複数のウェブ端末から問い合せる遠隔監視システムにおいて、
前記無線通信ネットワークエリアと前記ウェブ端末を接続するウェブサーバに、
ウェブサーバ起動時に生成され前記無線通信ネットワークエリアと１対１対応の無線通信ネットワーク送信スレッドと、
前記問合せ要求された無線通信ネットワークエリア対応に生成される問合せ機能ソフトウェアと、
前記無線通信ネットワークエリア送信スレッドと前記問合せ機能ソフトウェアとのインターフェースをとるウェブインターフェース部とを有し、
前記問合せ機能ソフトウェアは、ウェブ端末からの局舎設備状態の問合せ要求に基づき指定された無線通信ネットワークエリアの遠方監視装置に対して当該要求信号を送信し、遠方監視装置から応答情報と設備状態情報を受信すると内蔵しているバッファに書き込み、
前記ウェブインターフェース部は、問合せ機能ソフトウェアのバッファ在中の設備状態情報を対応する無線通信ネットワーク送信スレッドにわたし、
無線通信ネットワーク送信スレッドは、前記局舎設備状態の問合せ要求元のウェブ端末へ前記設備状態情報を送信することを特徴とする遠隔監視システム。
【発明の詳細な説明】
【技術分野】
【０００１】
本発明は、遠隔監視システム、特に集中管理制御装置を介してネットワーク接続される２種類の複数装置の間で、相手装置へのアクセスが集中した場合における応答時間の短縮を図った遠隔監視システムに関する。
【背景技術】
【０００２】
この種の遠隔監視システムの一例として、集中管理制御装置における対回線網ポートを対遠隔操作装置用と対遠隔制御装置用とに区分せしめて対遠隔操作装置に代表電話番号を与えると共に、集中管理制御装置は、各区分されたポート対応に設けられたポート管理テーブルと、通信可能な全リモート装置ｉＤ番号登録テーブルとを備え、遠隔操作装置と遠隔制御装置は、ポート管理テーブルの空エリアに自己のｉＤ番号をセットすることにより、多くの遠隔操作装置から一斉に処理依頼があっても、空ポートを有効に使用できるようにしたデータ通信制御方式が知られている（例えば、特許文献１参照）。
【０００３】
【特許文献１】昭５９−２３６５５（第１頁ー第３頁、図２）
【発明の開示】
【発明が解決しようとする課題】
【０００４】
ところで、複数の無線通信ネットワークエリアと複数のＷｅｂ端末がＷｅｂサーバを介して接続されているデータ通信制御システムにおいて、Ｗｅｂ端末から無線通信ネットワークエリアの局舎設備状態を問い合わせてＷｅｂ端末に表示することがある。
【０００５】
この場合、複数のＷｅｂ端末から同時に複数の無線通信ネットワークエリアの局舎に対して設備状態の問い合わせを行うと、大量の監視状態がその応答情報としてＷｅｂサーバに送られてくるため、Ｗｅｂサーバ内の送信部分の処理が過負荷状態となり時間がかかり過ぎることになるが、従来、これに対する有効な解決手法は無かった。
【０００６】
そして、この問題に対して、上述した従来技術を適用してみても、ポート管理テーブルを使用してデータ通信制御を行っているため、大規模なポート管理テーブルを予め用意しておく必要があるという問題点がある。
【０００７】
そこで、本発明の目的は、設備状態の問合せに要する時間を短縮するできる単純な構成の遠隔監視システムを提供することにある。
【課題を解決するための手段】
【０００８】
本発明の遠隔監視システムは、Ｗｅｂサーバ起動時に複数の無線通信ネットワークエリアに対応する送信スレッドを無線通信ネットワークエリア分作成し、複数のＷｅｂ端末から同時に複数の無線通信ネットワークエリアの局舎に対して設備状態問い合わせにより監視状態通知などのイベント情報を大量に受信した場合に、当該無線通信ネットワークエリアの送信スレッドに当該イベント情報をわたす。送信スレッドは、当該無線通信ネットワークエリアにアクセスしているＷｅｂ端末に当該イベント情報を送信する。
【発明の効果】
【０００９】
本発明の効果は、複数のＷｅｂ端末からそれぞれ同時に複数の無線通信ネットワークの局舎設備状態問い合わせを行った場合においても、その設備状態情報がＷｅｂサーバ内部で遅延することなく当該Ｗｅｂ端末に表示されることが可能になるということである。
【００１０】
その理由は、ＷｅｂサーバからＷｅｂ端末へ設備状態情報を送信する送信スレッドを無線通信ネットワークエリアと１対１対応に作成することにより、Ｗｅｂサーバは各Ｗｅｂ端末との通信時間を並列処理することができることになるので、複数Ｗｅｂ端末に対する応答表示時間の短縮が可能になるためである。
【発明を実施するための最良の形態】
【００１１】
本発明の遠隔監視システムは、複数の無線通信ネットワークエリア内の局舎設備状態を複数のウェブ端末から問い合せる遠隔監視システムにおいて、無線通信ネットワークエリアとウェブ端末を接続するウェブサーバに、ウェブサーバ起動時に生成され無線通信ネットワークエリアと１対１対応の無線通信ネットワーク送信スレッドと、問合せ要求された無線通信ネットワークエリア対応に生成される問合せ機能ソフトウェアと、無線通信ネットワークエリア送信スレッドと前記問合せ機能ソフトウェアとのインターフェースをとるウェブインターフェース部とを有する。
【００１２】
問合せ機能ソフトウェアは、ウェブ端末からの局舎設備状態の問合せ要求に基づき指定された無線通信ネットワークエリアの遠方監視装置に対して当該要求信号を送信し、遠方監視装置から応答情報と設備状態情報を受信すると内蔵しているバッファに書き込む。
【００１３】
ウェブインターフェース部は、問合せ機能ソフトウェアのバッファ在中の応答情報とアラーム信号を対応する無線通信ネットワーク送信スレッドにわたし、無線通信ネットワーク送信スレッドは、局舎設備状態の問合せ要求元のウェブ端末へ設備状態情報を送信するものである。
【実施例１】
【００１４】
次に、本発明の実施例について図面を参照して詳細に説明する。
【００１５】
電力会社や通信会社等は、複数の都道府県にまたがって通信ネットワークを構築しており、このような場合、多くは保守上の要請から都道府県毎に通信ネットワークを管理している。複数の都道府県にまたがって構築されている通信ネットワークに対して各都道府県において保守管理している領域を無線通信ネットワークエリアという。
【００１６】
管理は、無線通信ネットワークエリア内の局舎に設置されている多重無線機，同期端局装置，交換機，直流電源設備，空調設，発電機等の局舎設備の状態を把握することにより行う。局舎設備の状態とは、例えば多重無線機であれば、１号および２号の送信機と受信機それぞれの内のどれが稼動しているかといった運転状態、送信レベルや受信レベル低下等のアラームの発生有無等である。
【００１７】
局舎設備状態は、通常、遠方監視装置によってセンター局に送られてくるが、遠方監視装置の伝送路が品質劣化や輻湊等によって状態データが欠損するケースがある。また、現地における改修などの作業後に改めて当該局舎の設備状態を表示させて確認したいケースもある。このようなケースでは、当該局を指定して局舎設備状態を問い合せて確認することになる。
【００１８】
さて、本発明の一実施例のブロック図を示す図１を参照すると、この遠隔監視システムは、６個の無線通信ネットワークエリア１４１〜１４６と９個のＷｅｂ端末１１１〜１１９がＷｅｂサーバ１５０を介して接続されている。Ｗｅｂ端末１１１〜１１９とは、運用者が無線通信ネットワークエリア１４１〜１４６の局舎設備状態を問い合せるための監視制御端末である。
【００１９】
Ｗｅｂサーバ１５０は、Ｗｅｂ端末１１１〜１１９からの局舎設備状態の問合せ要求に対して、指定された無線通信ネットワークエリアの局舎設備状態の情報を取得し問合せ要求元のＷｅｂ端末に返送する。図１では、Ｗｅｂサーバ１５０は、３個のＦＯ１３１〜１３３と、ＦＯ〜Ｗｅｂインターフェース部１２１と、無線通信ネットワークエリア１４１〜１４６と１対１対応の６個の無線通信ネットワーク送信スレッド１０１〜１０６を備えている。
【００２０】
ＦＯとは、Function Objectの略語であり、問合せ機能を有するソフトウェアである。運用者がＷｅｂ端末１１１〜１１９から局舎設備状態の問合せ要求を行うと、ＦＯはこの要求に基づき指定された遠方監視装置に対して当該問合せ要求信号を送信する。その遠方監視装置は、問合せ求信号を受信すると、送信元のＦＯに対して応答情報を返し、その後に、要求された内容を元に局舎設備状態の情報（アラームや現用・予備状態であり、以下、「設備状態情報」と記す）を送信する。
【００２１】
ＦＯはこれらの情報を内蔵しているバッファに書き込む。３個のＦＯ１３１〜１３３は、３つの無線通信ネットワークエリアに対する局舎設備状態の問合せ要求を受けていることを示している。なお、応答情報とは、遠方監視装置が問合せ要求信号を正常に受信したことをＷｅｂサーバ１２１に通知するための信号である。応答情報が返ってこなかった場合、ＦＯはタイムアウトし、Ｗｅｂサーバ１２１はＷｅｂ端末に問合せ要求が異常終了したことを通知する。
【００２２】
無線通信ネットワーク送信スレッド１０１〜１０６は、無線通信ネットワークエリア１４１〜１４６と１対１対応に生成される。Ｗｅｂサーバ１２１はＷｅｂ端末１１１〜１１９からの局舎設備状態の問合せ要求を受けると、当該無線通信ネットワークエリア対応の無線通信ネットワーク送信スレッドに当該イベントをわたす。また、無線通信ネットワーク送信スレッドは、ＦＯ在中の中からＦＯ〜Ｗｅｂインターフェース部１２１によって振り分けられた設備状態情報を対応する要求元のＷｅｂ端末に送信する。
【００２３】
ＦＯ〜Ｗｅｂインターフェース部１２１は、ＦＯ１３１〜１３３と無線通信ネットワーク送信スレッド１０１〜１０６とのインターフェースをとる。
【００２４】
次に、以上のように構成された本遠隔制御システムの動作について説明する。
【００２５】
Ｗｅｂサーバ１２１が起動されると、無線通信ネットワークエリア１４１〜１４６と１対１対応の無線通信ネットワーク送信スレッド１０１〜１０６が生成される。いま、Ｗｅｂ端末１１１および１１２が無線通信ネットワークエリア１４１、Ｗｅｂ端末１１３が無線通信ネットワークエリア１４２、Ｗｅｂ端末１１４が無線通信ネットワークエリア１４３に同時に局舎設備状態の問合せ要求を行ったとする。
【００２６】
Ｗｅｂサーバ１２１では、無線通信ネットワークエリア１４１，１４２，１４３に対応して、それぞれＦＯ１３１，１３２，１３３が生成される。無線通信ネットワーク送信スレッド１０１,１０２，１０３は、ＦＯ〜Ｗｅｂインターフェース部１２１を経由して、それぞれＦＯ１３１，１３２，１３３に局舎設備状態の問合せ要求イベントをわたす。ＦＯ１３１，１３２，１３３は、それぞれ無線通信ネットワークエリア１４１，１４２，１４３の遠方監視装置へ問合せ要求信号を送信する。
【００２７】
これらの遠方監視装置は、設備状態情報を収集してＦＯ１３１，１３２，１３３へ応答情報と設備状態情報を送信する。ＦＯ１３１，１３２，１３３は、この情報をバッファリングし、一斉にＦＯ〜Ｗｅｂインターフェース１２１にわたす。ＦＯ〜Ｗｅｂインターフェース１２１は、送られてきた設備状態情報をそれぞれ無線通信ネットワークエリア１４１，１４２，１４３毎に振り分けて、それぞれ送信スレッド１０１，１０２，１０３に送信する。
【００２８】
無線通信ネットワーク送信スレッド１０１,１０２，１０３は、わたされた設備状態情報をＷｅｂ端末１０１および１０２，１０３，１０４へ送信する。この送信は、独立して並列的に行うことができる。
【図面の簡単な説明】
【００２９】
【図１】本発明の遠隔監視システムの一実施例を示す図
【符号の説明】
【００３０】
１０１〜１０６      無線通信ネットワークエリア送信スレッド
１１１〜１１９      Ｗｅｂ端末
１２１              ＦＯ〜Ｗｅｂインターフェース
１３１〜１３３      ＦＯ
１４１〜１４６      無線通信ネットワークエリア
１５０              Ｗｅｂサーバ
【図１】
2005295040.tif 000003